(57)【特許請求の範囲】
【請求項１】
本体と、前記本体に分離可能に接続する傾斜調節体と、を備える頭部、頸椎、および肩部を支持するための枕であって、
前記本体は、第１当接面を含む第１支持面と、第２当接面を含み前記第１支持面より高さが低い第２支持面と、前記第１支持面および前記第２支持面に連接して、前記第１支持面および前記第２支持面よりも高さが低い凹部支持面と、前記凹部支持面に対向する載置面と、を有し、
前記第１当接面と、前記第２当接面は対向して設けられ、
前記傾斜調節体は、第１接地面と、前記第１接地面に連接する第２接地面と、前記第１接地面および前記第２接地面に連接して、前記第１当接面、前記第２当接面のいずれにも当接できる当接面と、を有し、
前記枕を載置床に載置する場合において、前記載置面および前記第１接地面を前記載置床に載置して、前記当接面と前記第１当接面が当接した状態で、前記第１支持面は前記頸椎を支持し、前記第２接地面は前記肩部を支持し、前記凹部支持面は前記頭部を支持し、前記載置面および前記第２接地面を前記載置床に載置して、前記当接面と前記第２当接面が当接した状態で、前記第２支持面は前記頸椎を支持し、前記第１接地面は前記肩部を支持し、前記凹部支持面は前記頭部を支持し、
断面視で、前記第１接地面の長さは前記第２接地面の長さに比べ短いことを特徴とする枕。
【請求項２】
前記当接面は、前記第１接地面と前記第２接地面が連接する方向に向かって凹な形状であることを特徴とする請求項１に記載の枕。
【請求項３】
前記当接面は、前記第１接地面と前記第２接地面が連接する方向に向かって凹な曲面形状であることを特徴とする請求項１に記載の枕。
【請求項４】
前記枕を載置床に載置する場合において、前記第１接地面が前記載置床に当接するとき、前記第２接地面と前記第１支持面は同一勾配で接続し、前記第２接地面が前記載置床に当接するとき、前記第１接地面と前記第２支持面は同一勾配で接続することを特徴とする請求項１〜３のいずれか１項に記載の枕。
【請求項５】
前記第１支持面および前記第２支持面は上方に向かって凸な曲面形状であり、前記凹部支持面は下方に向かって凹な曲面形状であることを特徴とする請求項１〜４のいずれか１項に記載の枕。
【請求項６】
前記本体と前記傾斜調節体の接続状態を保持するための接続装置を備えることを特徴とする請求項１〜５のいずれか１項に記載の枕。
【発明の詳細な説明】
【技術分野】
【０００１】
枕の一部分を反転して対向する位置に接続することで、頸椎の支持高さを変えて、頭部、頸椎、および肩部を支持できる枕に関する。
【背景技術】
【０００２】
「枕を変えると眠れない」といわれるように、枕は眠りの質を大きく左右する。体の状態に適合した枕を使用することで、酷使した頸椎を休めることができ、質の良い睡眠が保証される。現代社会では、スマートフォンなどの電化製品を長時間使用する傾向があり、頸椎の負担は大きくなっていることから、枕の重要性は高まっている。
【０００３】
従来から、断面形状が俵状、二コブ状の枕が、数多く使用されているが、これらの枕は、頸椎、頭部のみを支持するものであるため、肩の部分に隙間ができて頸椎を十分に支持できるものではなかった。そのため、頸椎や肩に緊張を強いて、熟睡できない、朝起きたときに首や肩が痛いといったことで悩まされる一因となっていた。
【０００４】
改善策として、頸椎、頭部だけでなく肩まで支持できる枕が提案されている。例えば、特許文献１では、未使用状態で小型に折りたたむことによりスペースの効率化と取り扱いの簡便化を図り、使用状態においては使用者の頸椎や身体各部に負担を与えることなく自然な状態に保持できるとともに肩回りの保温性を図れる枕が提案されている。
【０００５】
特許文献２では、支持する部分の硬度を変えることで、就寝時に利用者の首への負担を和らげて、利用者にとって楽で快適な簡単な形状の枕が提案されている。
【先行技術文献】
【特許文献】
【０００６】
【特許文献１】実用新案登録第３１２８８８６号公報
【特許文献２】特開２０１９−１１０９６６号公報
【発明の概要】
【発明が解決しようとする課題】
【０００７】
大柄な人、小柄な人、太っている人、やせている人、頸椎のカーブの深い人、浅い人など、体形によって適した枕の高さは異なるが、特許文献１、２で提供された枕は、頸椎の支持高さを変えることは困難である。また、異なる素材を積層・並列して用いており構造が複雑となることからコストダウンを図れない。
【０００８】
本発明は、上記の課題を解決するためになされたものであり、簡単な構造の部材の接合状態を変えることで頸椎の支持高さを変更できるとともに、肩の支持範囲を変更できる安価な枕を提供することを目的とする。
【課題を解決するための手段】
【０００９】
上記課題を解決するための発明は、本体と、本体に分離可能に接続する傾斜調節体とを備える頭部、頸椎、および肩部を支持するための枕であって、本体は、第１当接面を含む第１支持面と、第２当接面を含み第１支持面より高さが低い第２支持面と、第１支持面および第２支持面に連接して、第１支持面および第２支持面よりも高さが低い凹部支持面と、凹部支持面に対向する載置面を有し、第１当接面と、第２当接面は対向して設けられ、傾斜調節体は、第１接地面と、第１接地面に連接する第２接地面と、第１接地面および第２接地面に連接して、第１当接面、第２当接面のいずれにも当接できる当接面を有し、枕を載置床に載置する場合において、載置面および第１接地面を載置床に載置して、当接面と第１当接面が当接した状態で、第１支持面は頸椎を支持し、第２接地面は肩部を支持し、凹部支持面は頭部を支持し、載置面および第２接地面を載置床に載置して、当接面と第２当接面が当接した状態で、第２支持面は頸椎を支持し、第１接地面は肩部を支持し、凹部支持面は頭部を支持し、断面視で、第１接地面の長さは第２接地面の長さに比べ短いことを特徴とする。
【００１０】
この構成によれば、枕を載置床に載置した場合において、当接面を第１当接面に当接す ることで、頭部を凹部支持面で、頸椎を第1支持面で、また肩部を第２接地面で支持できる。さらに、当接面を第２当接面に当接することで、頭部を凹部支持面で、頸椎を第１支持面より高さの低い第２支持面で、また肩部を第１接地面で支持できる。すなわち、１つの枕のみで、頸椎の支持高さを変えて頭部、および肩部を支持できる。
また、この構成によれば、当接面を第１当接面に当接した場合、頭部を凹部支持面で、頸椎を第２支持面より高さの高い第１支持面で、また肩部を第１接地面より長さの長い第２接地面で支持できる。また、当接面を第２当接面に当接した場合、頭部を凹部支持面で、頸椎を第１支持面より高さの低い第２支持面で、また肩部を第２接地面より長さの短い第１接地面で支持できる。すなわち、頸椎の支持高さに応じて肩の支持長さを変更できる。
【００１３】
好ましくは、当接面は、第１接地面と第２接地面が連接する方向に向かって凹な形状である。
【００１４】
この構成によれば、当接面は、第１接地面と第２接地面が連接する方向に向かって凹な形状であるので、当接面が平面の場合に比較して本体を大きくできる。これにより本体のクッション性を向上できる。また、第１、２当接面に当接する面積が増加する。これにより本体と支持体とのずれを抑制できる。
【００１５】
好ましくは、当接面は、第１接地面と第２接地面が連接する方向に向かって凹な曲面形状である。
【００１６】
この構成によれば、当接面は、第１接地面と第２接地面が連接する方向に向かって凹な曲面形状であるので、当接面が折れ曲がった平面で構成される場合に比較して本体を大きくできる。これにより本体のクッション性をより一層向上できる。また、第１、２当接面に当接する面積がより一層増加する。これにより本体と支持体とのずれをより一層抑制できる。
【００１７】
好ましくは、枕を載置床に載置する場合において、第１接地面が載置床に当接するとき、第２接地面と第１支持面は同一勾配で接続し、第２接地面が載置床に当接するとき、第１接地面と第２支持面は同一勾配で接続する。
【００１８】
この構成によれば、枕を載置床に載置する場合において、第１接地面が載置面に当接するとき、第２接地面と第１支持面は同一勾配で接続し、第２接地面が載置床に当接するとき、第１接地面と第２支持面は同一勾配で接続するので、頸椎の押圧状態の急激な変化を回避できる。
【００１９】
好ましくは、第１支持面、および第２支持面は上方に向かって凸な曲面形状であり、凹部支持面は下方に向かって凹な曲面形状である。
【００２０】
この構成によれば、第１支持面、および第２支持面は上方に向かって凸な曲面形状であり、凹部支持面は下方に向かって凹な曲面形状であるので、頭部、および頸椎を均等に支持できる。
【００２１】
好ましくは、本体と傾斜調節体の接続状態を保持するための接続装置を備える。
【００２２】
この構成によれば、本体と傾斜調節体の接続状態を保持するための接続装置を備えるので、睡眠中に本体と傾斜調節体を分離させる力が作用したとしても、本体と傾斜調節体との分離は回避され、隙間は発生しない。
【図面の簡単な説明】
【００２３】
【図１】本実施形態の枕の当接状態を説明する正面図である。
【図２】本体の斜視図である。
【図３】傾斜調節体の斜視図である。
【図４】（ａ）〜（ｃ）は本実施形態の枕の他の使用態様を説明する斜視図である。
【図５】（ａ）、（ｂ）は従来の枕の形状を表した正面断面図である。
【発明を実施するための形態】
【００２４】
以下、図面を参照して本発明の実施形態を詳述する。
【００２５】
図１に示す通り、枕１は、本体１０および傾斜調節体２０を有しており、これらは接続装置３０によって接続状態が保持されている。枕１を載置床１００に載置して、本体１０の載置面１４、および傾斜調節体２０の第１接地面２１を載置床１００に当接させた状態で、当接面２３と第１当接面１１ａは当接する。また、傾斜調節体２０を反転して載置面１４および第２接地面２２を載置床１００に当接させた状態で、当接面２３と第２当接面１２ａは当接する。
【００２６】
本体１０は主に頸椎および頭部を支持する部材であり、図２に示す通り、断面形状は、第１支持面１１、第２支持面１２、凹部支持面１３、および載置面１４で画定される。
【００２７】
第１支持面１１は主に頸椎を支持するための部位であり、全体が曲面で構成されて、傾斜調節体２０の当接面２３に当接可能な第１当接面１１ａを有している。第２支持面１２も同様に主に頸椎を支持するための部位であり、全体が曲面で構成されて、傾斜調節体２０の当接面２３に当接可能な第２当接面１２ａを有している。
【００２８】
第１支持面１１および第２支持面１２は上方に向かって凸な曲面である。頸椎に沿った曲面とすることで頸椎を均等に支持できる。これによらず、頸椎に沿った曲面よりも小さな曲率とすれば、頸椎に適度な刺激を与えることも可能である。また、第１支持面１１の高さＨ１は、第２支持面１２の高さＨ２に比べ高く設定されている。これにより、頸椎を異なる高さで支持できる。
【００２９】
第１当接面１１ａと第２当接面１２ａはどちらか一方を回転することで他方の同一の位置に重なる、いわゆる点対称の形状である。またそれぞれの端部は、載置面１４の端部に連接している。載置面１４は平面形状の部位であり、載置床１００に当接して枕１を安定して載置する。
【００３０】
凹部支持面１３は、主に頭部を支持するための部位であり、第１支持面１１と第２支持面１２の間に、連接して設けられている。凹部支持面１３は、下方に向かって凹な曲面である。頭部の形状に沿った曲面とすることで頭部を均等に支持できる。
【００３１】
傾斜調節体２０は、主に頸椎の下関節から椎骨、肩を支持するための部材であり、図３に示す通り、断面形状は、第１接地面２１、第２接地面２２、および当接面２３で画定される略三角形の断面形状である。
【００３２】
第１接地面２１、および第２接地面２２は矩形の平面であり、傾斜調節体２０を載置床１００に載置したとき、載置床１００に当接する。また、それぞれは、連接点２５で連接している。断面視での第１接地面２１の長さＬ１は、第２接地面の長さＬ２に比べ短く設定されている。
【００３３】
断面視で、第１接地面２１と第２接地面２２のなす角度は２０度程度であることが好ましい。寝ているときの好適な角度は１５度程度であるといわれているが、使用時の沈み込みを考慮した結果である。
【００３４】
当接面２３は、第１接地面２１と第２接地面２２の端部に連接して、連接点２５に向かって凹な曲面である。また、その形状は、第１当接面１１ａおよび第２当接面１２ａと同じである。
【００３５】
本体１０と傾斜調節体２０は、それぞれの両側端部（図１の正面側と背面側）に設けられた接続装置３０を介して接続されている。接続装置３０は、伸縮性能を具備する紐３１ａ、３１ｂが差し込み式の接続具３２を介して接続している構造である。紐３１ａは、本体に固定され、紐３１ｂは傾斜調節体２０に固定されている。接続具３２は、差し込むことで連結して一体化され、引き抜くことで分離する構造である。これにより、本体１０と傾斜調節体２０は分離可能に接続される。
【００３６】
本体１０および傾斜調節体２０はウレタンフォームを布で覆ったものが例示される。それぞれの内部を単一構造とすることでコスト低減を図れる。本体１０と傾斜調節体２０の硬度は同じであってもよいし、異なっていてもよい。本体１０と傾斜調節体２０の硬度を適宜・適切に設定することで、太った人、やせた人等の様々な体形の人々にとって好適な枕とすることができる。
【００３７】
枕１の標準的な使用態様について、図１を参照して説明する。
【００３８】
本体１０と傾斜調節体２０を載置床１００に載置する。載置面１４および第１接地面を載置床１００に当接させた状態で、接続具３２を差し込む。これにより、圧縮力が第１当接面１１ａの全面と、当接面２３の全面に付勢されて、本体１０と傾斜調節体２０は一体化する。
【００３９】
この状態では、第１支持面１１は主に頸椎を、傾斜調節体２０の第２接地面２２は主に椎骨、肩を、凹部支持面１３は主に頭部を支持する。このときの頸椎の支持高さは、第１支持面の高さＨ１となる。
【００４０】
図５（ａ）、（ｂ）に示す通り、従来は、俵形状の枕２や、二コブ形状の枕３が多く用いられてきた。これらの枕は肩を支持していないことから頸椎の負担が大きく肩こり、不眠、いびきなど睡眠の質に影響を与える可能性が高かった。本実施形態で示される枕１は、頭部〜頸椎〜肩を一体的に支持できることから睡眠の質の向上が図れる。
【００４１】
第２接地面２２と第１支持面１１は、同一勾配で接続するように設定されている。これにより連続性のある滑らかな支持面となり、頸椎から肩にかけて支持圧力の均一化を図れる。
【００４２】
第１当接面１１ａと、第１当接面と同一形状の当接面２３は、曲面であることから、それぞれが平面である場合に比べて接続面積が大きく付勢される圧縮力の範囲が広くなり、本体１０と傾斜調節体２０の一体化がより一層促進される。これにより、就寝時において本体１０と傾斜調節体２０の隙間の発生を回避できる。
【００４３】
傾斜調節体２０を反転することで、第２当接面１２ａの全面が、当接面２３の全面に圧縮力が付勢された状態で当接して、本体１０と傾斜調節体２０を一体化する。このときの頸椎の支持高さは、第２支持面の高さＨ２となる。この状態については、上述した内容とほぼ同じであることから説明は省略する。
【００４４】
上述の通り、第１当接面１１ａと当接面２３を当接したときの頸椎支持高さは、第１支持面の高さＨ１となり、傾斜調節体２０を反転して第２当接面１２ａと当接面２３を当接したときの頸椎支持高さは第１支持面の高さＨ１より低い第２支持面の高さＨ２となる。
【００４５】
第２接地面２２は第１接地面２１に比べ断面視でその長さが長いことから、頸椎の支持高さを高くした場合、すなわち第１支持面で頸椎を支持した場合は、第２支持面で頸椎を支持する場合に比べ肩を支持する範囲を広く設定できる。
【００４６】
大柄な人、小柄な人、太っている人、やせている人、頸椎のカーブの深い人、浅い人など、体形によって適した枕の高さは異なる。本実施形態で示した枕は、頭部〜頸椎〜肩部まで支持できて、しかも頸椎を異なる支持高さで支持できるとともに肩の支持範囲を変更できる枕であり、多くの人々が好適に使用できる枕となる。
【００４７】
例えば、大柄な人は頸椎の支持高さを高くすることが一般的である。この場合、肩を第２接地面２２で支持することになる。断面視で第２接地面２２の長さは、第１接地面２１の長さよりも長いことから大柄の人の肩の大きさにあわせて支持範囲を広くできる。また、小柄な人は頸椎の支持高さを低くすることで、肩の支持長さを短くすることができ、いずれの場合も適切に設定できる。
【００４８】
その他の使用態様について、図４（ａ）、（ｂ）、（ｃ）を参照して説明する。
【００４９】
図４（ａ）に示す通り、傾斜調節体２０に本体１０の載置面１４を上にした状態で本体１０を積層して使用してもよい。枕の高さを高くできるため、横向きになってくつろぐとときに、頭部および頸椎を好適な高さで支持できる。
【００５０】
図４（ｂ）に示す通り、第１接地面２１と載置面１４を当接した状態で、傾斜調節体２０に本体１０を積層してもよい。この場合、枕の高さをより一層高くできる。
【００５１】
図４（ｃ）に示す通り、腕を凹部支持面１３に置き、首から胸を第１支持面１１および第２接地面２２に置くことで、快適なうつ伏せ姿勢で横臥できる。図４（ａ）〜（ｃ）の使用態様についてはあくまで例示であり、これ以外の様々な使用態様に対応できることはもちろんである。
【産業上の利用可能性】
【００５２】
本発明に係る枕は、様々な体形の人々にとって就寝時の心地よさを向上でき、様々な使用態様が可能となることから、産業上の利用可能性は大である。
【符号の説明】
【００５３】
１      枕
１０    本体
１１    第１支持面
１１ａ  第１当接面
１２    第２支持面
１２ａ  第２当接面
１３    凹部支持面
２０    傾斜調節体
２１    第１接地面
２２    第２接地面
２３    当接面
３０    接続装置
１００  載置床
【図１】
0006873199.tif 000002
【図２】
0006873199.tif 000003
【図３】
0006873199.tif 000004
【図４】
0006873199.tif 000005
【図５】
0006873199.tif 000006